【事件の表示】
　平成１年特許願第１６１２６０号「パチンコ遊技機」拒絶査定に対する審判事件（平成３年２月４日出願公開、特開平３−２６２８６）について、次のとおり審決する。
【結論】
　本件審判の請求は、成り立たない。
【理由】
（手続きの経緯、本願発明）
　本願は平成元年６月２４日に出願されたものであって、その発明は、出願当初の明細書と図面及び平成１１年６月２１日付け手続補正書の記載からみて、平成１１年６月２１日付け該手続補正書の特許請求の範囲に記載された下記のとおりのものと認める。
「特定の入賞口に遊技球が入賞することにより可変表示体に図柄が可変表示され、この表示された図柄が予め定められた図柄と一致することを条件として大入賞口の扉を開く権利が発生し、権利発生中に遊技球が始動口に入賞すると大入賞口の扉が開き、遊技球の入賞を容易にする大当り状態となるパチンコ遊技機において、
　権利発生中に前記始動口に入賞した遊技球の数を記憶する記憶手段と、前記大入賞口の扉が閉じたときに前記記憶手段に記憶があるか否かを判断し、記憶があるときには前記大入賞口の扉を開く信号を発する判断手段と、前記大入賞口の扉が開いた回数を計数するカウンタとを設け、前記カウンタの値が所定値になったとき権利を消滅させると共に、その権利消滅後の前記可変表示体における権利発生確率を、初回の発生確率と桁数の異なる確率で所定回数の権利発生に亘って向上させることを特徴とするパチンコ遊技機。」
（引用例）
　これに対して、当審の拒絶の理由において引用された特開昭６３−６５８８４号公報（以下、「引用例１」という。）には、「（１）遊技盤に入賞領域を形成し、パチンコ玉が入賞領域へ入賞することに応じて所定数の景品玉を払出すようにしたパチンコ遊技機において、
　前記遊技盤に配置された可変表示装置と、
　該可変表示装置に関連する遊技結果を導出可能な特定入賞領域に打球が入賞したことを検出する特定入賞領域入賞玉検出手段と、
　前記遊技結果を判定する遊技結果判定手段と、
　前記遊技結果判定手段の出力に応じて遊技者にある価値を付与する価値付与手段と、
　前記特定入賞領域にパチンコ玉が入賞したことに応じて、相対的に少ない数の景品玉を払出す第１の景品玉払出手段と、
　前記特定入賞領域以外の入賞領域にパチンコ玉が入賞したことに応じて、相対的に多い数の景品玉を払出す第２の景品玉払出手段とを備えたことを特徴とする、パチンコ遊技機。
　・・・
（３）前記可変表示装置は、前記特定入賞領域入賞玉検出手段の出力に応じて可変表示し、予め定められた条件により停止制御し、
　前記遊技結果判定手段は、前記停止制御された可変表示装置の表示態様を判定する第２の表示態様判定手段を含むことを特徴とする、特許請求の範囲第１項記載のパチンコ遊技機。」（特許請求の範囲）、「第１図は、・・・・・パチンコ遊技機１０の正面図である。このパチンコ遊技機１０は、可変入賞球装置１２と、特定入賞孔１４と、始動入賞孔１６とを備えており、特定入賞孔１４へ予め定めるタイミングでパチンコ玉が入賞することにより権利が発生しまたは発生している権利が消滅する。権利発生状態において、パチンコ玉が始動入賞孔１６へ入賞すると、可変入賞球装置１２の開閉板１８が一定期間、たとえばパチンコ玉が１０個入賞するまでまたは１０秒間のいずれか早い方が満了するまで開成する。」（第３頁右下欄第６〜１６行、第１図）、「パチンコ遊技中に、特定入賞孔１４ヘパチンコ玉が入ったとき、可変表示器２０の左端の表示器の表示が偶然に「７」ならば、権利が発生する。・・・・・権利発生状態では、始動入賞孔１６は、通常の入賞孔としての機能に加えて、開閉板１８を開成するという機能を備える。」（第４頁左上欄第２〜１１行、第１図）、「言い換えれば、可変表示器２０のうち左端の表示器の表示タイミングと特定入賞孔１４へのパチンコ玉の入賞タイミングが一致し、権利が発生しかつ消滅すると、次の権利発生および消滅に関与する表示器は中央部の表示器となり、さらに次の権利発生および消滅に関与するのは右側の表示器となって、次第に権利が発生しやすくまたは発生した権利が消滅しやすくなるように工夫されている。」（第４頁右上欄第６〜１４行、第１図）、「該始動入賞孔１６へのパチンコ玉の入賞を一時記憶保持しておいて、開閉板１８が閉成後その保持出力に基づいて開閉板１８を再度開成する。」（第５頁右下欄第２〜４行、第１、３、４図）、「保持回路８８のＱ出力は始動回数回路８０のカウント信号入力端子Ｃへ与えられ、応じて開閉板開成数表示ＬＥＤ４８は「１」を表示する。この表示は、保持回路８８からの出力に応答してインクリメントされる。
　始動入賞回路８２の出力は、また、ナンドゲート９２を介して始動入賞記憶回路９４へ加算入力として与えられる。始動入賞記憶回路９４へは、上記保持回路８８のＱ出力が減算入力として与えられている。したがって、始動入賞記憶回路９４は、開閉板１８の開成中に始動入賞孔１６へパチンコ玉の入賞があったときには、その入賞球を記憶することになる。」（第６頁右下欄第３〜１５行、第５図）と記載されている。また第５図の電気制御回路例を示すブロック図には、大入賞口の扉（開閉板１８）か開いた回数を計数するカウンタ（始動回数回路８０）の出力端子からの出力信号がオアゲートを介して保持回路６６のリセット端子Ｒに入力され、上記保持回路６６をリセットし、発生している権利を消滅するとともに、権利発生ランプ７２を消灯するようにした構成が、開示されている。
　同じく引用された特開昭６４−１７６７５号公報（以下「引用例２」という。）には、「まず、第６図において、電源が投入されると、マイクロコンピュータ７２はイニシャライズされ、ステップＳ１において、特定入賞回数カウンタの値が「０」であるか否かが判断される。この特定入賞回数カウンタは権利発生の回数を記憶するものであって、第１の遊技状態検出手段出力記憶手段を構成するこの特定入賞回数カウンタの計数は、後で詳細に説明するが、第７図に示す割込ルーチンによって行われる。特定入賞回数カウンタの計数値が「０」でなければ、ステップＳ２において、この特定入賞回数カウンタを「−１」する。
　ステップＳ３において、始動入賞玉検出スイッチ３６ａ、３６ｂがＯＮしたか否かが判別される。打玉が始動入賞口２２ａまたは２２ｂに入賞すると、始動入賞玉検出スイッチ３６ａまたは３６ｂがＯＮするので、ステップＳ４において始動入賞回数カウンタを「＋１」する。これは、始動入賞口２２ａ、２２ｂに入賞した打玉の数だけ可動翼片５６ａ、５６ｂを開閉する必要があるため、始動入賞口２２ａ、２２ｂに入賞した打玉の数を計数している。ステップＳ５において、始動入賞回数カウンタの計数値が「１０」になったか否かが判別される。これは始動入賞口２２ａ、２２ｂに１０個の打玉が入賞したとき、発生した権利を消滅させるためである。始動入賞回数カウンタの計数値が「１０」未満であれば、ステップＳ６に進み、始動入賞回数カウンタの計数値が開成回数カウンタの計数値よりも大きいか否かが判別される。これは権利発生中において、あと何回可動翼片５６ａ、５６ｂを開成状態にできるかどうかを判別するためである。・・・始動入賞回数カウンタの計数値よりも開成カウンタの計数値が小さければステップＳ７に進み、ソレノイド６８を駆動し、可動翼片５６ａ、５６ｂを開くとともに開成回数カウンタを＋１する。」（第７頁左下欄第１８行〜第８頁左上欄第１５行、第１〜７図）、「さらに、ステップＳ２７において、始動入賞回数カウンタをクリアするとともに、開成回数カウンタをクリアして、前述のステップＳ１に戻る。また、前述のステップＳ２１において、始動入賞回数カウンタの計数値が開成回数カウンタの計数値よりも大きくないことを判別したときには、ステップＳ２７に進む。」（第９頁左上欄第９〜１６行、第７図）、「遊技盤１４の盤面には、そのほぼ中央部に可変入賞球装置１１２が設けられ、そのすぐ下に始動入賞口１１６が設けられ、さらにその下には可変表示停止用の特定入賞口１１４が設けられている。」（第１０頁左上欄第２〜６行、第８図）、「第１０図は第８図に示した可変入賞球装置１１２の正面図である。次に、第１０図を参照して、可変入賞球装置１２の構成について説明する。取付基板１２６のほぼ中央部には可変表示器１３６が設けられている。この可変表示器１３６は７セグメントのデイジタル表示器であって、電源が投入されると、０ないし９の数字を繰返し可変表示し、特定入賞口１１４に打玉が入賞すると、可変表示を停止し、０ないし９のいずれかの数字を表示する。」（第１０頁右上欄第２〜１１行、第１０図）、「なお、第１１図および第１２図に示したフロー図は、前述の第６図および第７図に示したフロー図のステップＳ１およびＳ２に変えてステップＳ１００を設けた以外は同じである・・・。」（第１０頁右下欄第１５〜１９行）、「マイクロコンピュータ７２のＭＰＵ７４は電源が投入されると、イニシャライズされ、ステップＳ１００において特別装置が作動中であるか否かが判別される。特別装置が作動中であればステップＳ３ないしＳ２７の動作を行う。すなわち、始動入賞口１１６に打玉が入賞すると開閉板１３０を開き、１０カウントカウンタの計数値が「１０」になるかあるいはソレノイド１２４をＯＮした後１０秒後経過すると、ソレノイド１２４をＯＦＦにして開閉板１３０を閉じる。この動作を始動入賞口１１６に入賞した打玉の数だけ繰り返す。
　・・・　割込処理ルーチンでは、ステップＳ１０１において、特定入賞玉検出スイッチ１１８がＯＮしたか否かを判別し、ＯＮしていれば、ステップＳ１０２において、可変入賞球装置１１２の可変表示器１３６を停止させる。そして、ステップＳ１０３において、停止している可変表示器１３６の表示内容が第１の表示状態としての「７」であるか否かを判別し、表示内容が「７」であれば、ステップＳ１０４において特別装置を作動させる。」（第１１頁左上欄第５行〜同頁右上欄第７行、第８〜１３図）、「また、上述の実施例では、可変入賞装置１１２に１０個の打玉が入賞したとき、あるいは開閉板１３０が開かれてから１０秒経過した後に開閉板１３０を閉成状態にするようにした。しかし、これに限ることなく、１０個の打玉が入賞したときあるいは開閉板１３０が１０回開閉した後に開閉板１３０を閉成状態にしてもよく、さらにはそれぞれ単独で開閉板１３０を閉成状体にするようにしてもよい。さらに、遊技盤上の別の入賞口に打玉が入賞したとき、権利を消滅させるようにしてもよい。」（第１２頁右上欄第３〜１３行、第８〜１３図）と記載されている。
（対比・判断）
　本願特許請求の範囲に記載される発明（以下「本願発明」という。）と引用例１に記載される発明（以下「引用発明」という。）とを比較すると、引用発明における「特定入賞孔１４」、「パチンコ玉」、「可変表示器２０」、「開閉板１８」、「始動入賞孔１６」、「始動入賞記憶回路９４」、「始動回数回路８０」が、本願発明における「特定の入賞口」、「遊技球」、「可変表示体」、「大入賞口の扉」、「始動口」、「権利発生中に始動口に入賞した遊技球の数を記憶する記憶手段」、「大入賞口の扉が開いた回数を計数するカウンタ」に相当することは明白である。また、引用発明における「該始動入賞孔１６へのパチンコ玉の入賞を一時記憶保持しておいて、開閉板１８が閉成後その保持出力に基づいて開閉板１８を再度開成する。」ことが、本願発明における「前記大入賞口の扉が閉じたときに前記記憶手段に記憶があるか否かを判断し、記憶があるときには前記大入賞口の扉を開く信号を発する判断手段」に相当することおよび引用発明において、その第５図を参照すると、開閉板１８が開いた回数を計数する始動回数回路８０の出力端子からの出力信号がオアゲートを介して保持回路６６のリセット端子Ｒに入力され、上記保持回路６６をリセットし、発生している権利を消滅させるとともに、権利発生ランプ７２を消灯するようにした構成が開示されていることも明白である。したがって、両者は、特定の入賞口に遊技球が入賞することにより可変表示体に図柄が可変表示され、この表示された図柄が予め定められた図柄と一致することを条件として大入賞口の扉を開く権利が発生し、権利発生中に遊技球が始動口に入賞すると大入賞口の扉が開き、遊技球の入賞を容易にする大当り状態となるパチンコ遊技機において、権利発生中に前記始動口に入賞した遊技球の数を記憶する記憶手段と、前記大入賞口の扉が閉じたときに前記記憶手段に記憶があるか否かを判断し、記憶があるときには前記大入賞口の扉を開く信号を発する判断手段と、前記大入賞口の扉が開いた回数を計数するカウンタとを設け、前記カウンタから出力信号があったとき権利を消滅させると共に、その権利消滅後の前記可変表示体における権利発生確率を、初回の発生確率と異なる確率で所定回数の権利発生に亘って向上させるパチンコ遊技機である点で一致し、
（１）本願発明が、大入賞口の扉が開いた回数を計数するカウンタの値が所定値になったとき権利を消滅させるように構成しているのに対して、引用発明は、開閉板１８が開いた回数を計数する始動回数回路８０から出力信号があったとき権利を消滅させるように構成しているものの、上記出力信号が始動回数回路８０で計数する値が所定値になったとき出力されるのかどうか不明である点、
（２）権利消滅後の可変表示体における権利発生確率に関し、本願発明は、初回の発生確率と桁数の異なる確率となるのに対して、引用発明は、単に発生確率が向上するにすぎない点で相違する。
　上記相違点について検討する。引用例２には、その明細書および図面の記載内容からみて、特定入賞口１１４（本願発明の「特定の入賞口」に相当する。以下同様）に打玉（「遊技球」）が入賞することにより可変表示器１３６（「可変表示体」）に図柄が可変表示され、この表示された図柄が予め定められた図柄と一致することを条件として開閉板１３０（「大入賞口の扉」）を開く権利が発生し、権利発生中に打玉が始動入賞口１１６（「始動口」）に入賞すると開閉板１３０が開き、打玉の入賞を容易にする大当り状態となるパチンコ遊技機において、権利発生中に前記始動入賞口１１６に入賞した打玉の数を記憶する記憶手段（例えば第１１図のＳ５の始動入賞回数カウンタに関連する第５図のＭＰＵ７４、ＲＡＭ７８等）と、前記開閉板１３０が閉じたときに前記記憶手段に記憶があるか否かを判断し、記憶があるときには前記開閉板１３０を開く信号を発する判断手段（例えば第５図のＭＰＵ７４）と、前記開閉板１３０が開いた回数を計数するカウンタ（第１１図のＳ７の開成回数カウンタ）とを設け、前記カウンタの値が所定値（１０回）になったとき権利を消滅させる（公報第１２頁右上欄第８〜９行の「開閉板１３０が１０回開閉した後に開閉板１３０を閉成状態にしてもよく、」なる記載参照）パチンコ遊技機が記載されているものと認められる。してみれば、上記引用例２に記載される権利を消滅させる構成に倣って、引用発明における始動回数回路８０からの出力信号を、当該始動回数回路の値が所定値になったとき出力されるようにして、本願発明のように構成することは、当業者であれば容易に想到し得るものと認められる。相違点（２）については、本願発明及び引用発明とも、初回の発生確率とは異ならせると共に、その発生確率を初回の発生確率より以上のものとすることにおいて変わるものでなく、その発生確率の度合いにのみ差異かあるものであって、本願発明のように、初回の発生確率に対して桁数を異ならせるように構成することは、当業者であれば、必要に応じて容易になし得る程度の設計事項と認められる。
（むすび）
　以上のとおりであるから、本願請求項１、２に係る発明は、引用例１、２に記載された発明に基づいて、当業者が容易に発明をすることができたものと認められ、特許法第２９条第２項の規定により特許を受けることはできない。
　よって、結論のとおり審決する。